(57)【要約】【課題】部材断面のスリム化を図ることのできる耐火木質部材を提供する。【解決手段】耐火性を有する木質部材１００であって、荷重を支持する木質材料からなる芯材１０の断面形状が、少なくとも五角以上の多角形状であり、この多角形状の全ての断面角部１６の角度θが鈍角であるようにする。【選択図】図１
2018009387.tif 000002
【特許請求の範囲】
【請求項１】
耐火性を有する木質部材であって、
荷重を支持する木質材料からなる芯材の断面形状が、少なくとも五角以上の多角形状であり、この多角形状の全ての断面角部の角度が鈍角であることを特徴とする耐火木質部材。
【請求項２】
芯材の外側に設けられる燃え止まり層または仕上げ材をさらに備えることを特徴とする請求項１に記載の耐火木質部材。
【請求項３】
芯材の外側に設けられる燃え止まり層と、この燃え止まり層の外側に設けられる仕上げ材をさらに備えることを特徴とする請求項１に記載の耐火木質部材。
【請求項４】
芯材の外側に設けられる燃え止まり層または仕上げ材の芯材を含めた全体の断面形状が円形状、楕円形状、長円形状、卵形状または芯材の断面形状と相似した多角形状であることを特徴とする請求項１〜３のいずれか一つに記載の耐火木質部材。
【請求項５】
耐火性を有する木質部材であって、
荷重を支持する木質材料からなる芯材の断面形状が円形状であることを特徴とする耐火木質部材。
【発明の詳細な説明】
【技術分野】
【０００１】
本発明は、柱などの建築構造部材として使用するのに好適な耐火木質部材に関するものである。
【背景技術】
【０００２】
一般的に、従来の耐火木質部材の断面形状は矩形のため、直角の隅部が加熱された時の熱的影響が最も大きくなる。そのため、従来の耐火木質部材では、隅部の耐火性能を確保するために様々な工夫を施している（例えば、特許文献１〜４を参照）。
【０００３】
図５（１）〜（３）は、従来の耐火木質部材の断面例を示したものである。図５（１）の構造は、上記の特許文献１に示されたものであり、木材からなる荷重支持部１と、荷重支持部１よりも外側にて外部に露出する外周部２と、荷重支持部１よりも外側の隅角部にて、外部に露出しない位置に配置された補強部材３とを備えたものである。補強部材３は、外周部２の部材より炭化後の密度が高い部材などにより構成される。また、図５（２）の構造は、荷重支持部１とモルタル部４と燃え止まり層５と燃え代層６とを備えたものである。また、図５（３）の構造は、上記の特許文献３に対応するものであり、荷重支持部１と第２燃え止まり層７と第１燃え止まり層８とを備えたものである。
【先行技術文献】
【特許文献】
【０００４】
【特許文献１】特開２０１２−１３６９３９号公報
【特許文献２】特許第４８７１６６０号公報
【特許文献３】特開２０１５−１２９４３１号公報
【特許文献４】特開２０１５−０６１９６９号公報
【発明の概要】
【発明が解決しようとする課題】
【０００５】
しかしながら、上記の従来の構造では、隅部の耐火性能を高めるために当該部分に耐火性能が高い材料を特別に使ったり、隅部に必要な耐火被覆の厚みで部材全体を覆ってしまうことで被覆層（図５の符号９で示される部分）が厚くなったりしていた。そのため、耐火木質部材の製造方法が複雑になったり、被覆層が厚くなることで、コストが上がり、部材断面も大きくなるといった問題があった。
【０００６】
このため、従来と同等の構造性能でありながら、部材断面のスリム化を図ることのできる耐火木質部材の開発が求められていた。
【０００７】
本発明は、上記に鑑みてなされたものであって、部材断面のスリム化を図ることのできる耐火木質部材を提供することを目的とする。
【課題を解決するための手段】
【０００８】
上記した課題を解決し、目的を達成するために、本発明に係る耐火木質部材は、耐火性を有する木質部材であって、荷重を支持する木質材料からなる芯材の断面形状が、少なくとも五角以上の多角形状であり、この多角形状の全ての断面角部の角度が鈍角であることを特徴とする。
【０００９】
また、本発明に係る他の耐火木質部材は、上述した発明において、芯材の外側に設けられる燃え止まり層または仕上げ材をさらに備えることを特徴とする。
【００１０】
また、本発明に係る他の耐火木質部材は、上述した発明において、芯材の外側に設けられる燃え止まり層と、この燃え止まり層の外側に設けられる仕上げ材をさらに備えることを特徴とする。
【００１１】
また、本発明に係る他の耐火木質部材は、上述した発明において、芯材の外側に設けられる燃え止まり層または仕上げ材の芯材を含めた全体の断面形状が円形状、楕円形状、長円形状、卵形状または芯材の断面形状と相似した多角形状であることを特徴とする。
【００１２】
また、本発明に係る他の耐火木質部材は、耐火性を有する木質部材であって、荷重を支持する木質材料からなる芯材の断面形状が円形状であることを特徴とする。
【発明の効果】
【００１３】
本発明に係る耐火木質部材によれば、耐火性を有する木質部材であって、荷重を支持する木質材料からなる芯材の断面形状が、少なくとも五角以上の多角形状であり、この多角形状の全ての断面角部の角度が鈍角であるので、耐火性能を確保する上で弱点となる芯材の断面角部の角度が従来の矩形（断面角部の角度が直角）の場合に比べて緩やかであることから、二面加熱の影響を受けづらくなる。このため、本発明によれば、芯材の断面形状が矩形の場合よりも角部の耐火性能を著しく向上することができる。したがって、部材を細くしても従来と同等以上の構造性能を確保でき、部材断面のスリム化と低コスト化を図ることができるという効果を奏する。また、この耐火木質部材を室内の柱等に用いることで、室内空間の開放性が高まり、室内を有効活用することが可能となる。
【００１４】
また、本発明に係る他の耐火木質部材によれば、芯材の外側に設けられる燃え止まり層または仕上げ材をさらに備えるので、燃え止まり層によって、火災による芯材への熱の伝達を抑制し、芯材の炭化や燃焼を防ぐことができるという効果を奏する。また、仕上げ材によって、芯材の外側に木質感を付与することができるという効果を奏する。
【００１５】
また、本発明に係る他の耐火木質部材によれば、芯材の外側に設けられる燃え止まり層と、この燃え止まり層の外側に設けられる仕上げ材をさらに備えるので、燃え止まり層によって、火災による芯材への熱の伝達を抑制し、芯材の炭化や燃焼を防ぐとともに、仕上げ材によって、芯材の外側に木質感を付与することができるという効果を奏する。
【００１６】
また、本発明に係る他の耐火木質部材によれば、芯材の外側に設けられる燃え止まり層または仕上げ材の芯材を含めた全体の断面形状が円形状、楕円形状、長円形状、卵形状または芯材の断面形状と相似した多角形状であるので、芯材の断面形状が矩形の場合よりも角部の耐火性能を著しく向上することができ、デザインの自由度を向上することができるという効果を奏する。
【００１７】
また、本発明に係る他の耐火木質部材によれば、耐火性を有する木質部材であって、荷重を支持する木質材料からなる芯材の断面形状が円形状であるので、芯材の断面形状が矩形の場合よりも耐火性能を著しく向上することができる。したがって、部材を細くしても従来と同等以上の構造性能を確保でき、部材断面のスリム化と低コスト化を図ることができるという効果を奏する。また、この耐火木質部材を室内の柱等に用いることで、室内空間の開放性が高まり、室内を有効活用することが可能となる。
【図面の簡単な説明】
【００１８】
【図１】図１は、本発明に係る耐火木質部材の実施の形態１を示す断面図である。
【図２】図２は、本発明に係る耐火木質部材の実施の形態２を示す断面図である。
【図３】図３は、本発明に係る耐火木質部材の実施の形態３を示す断面図である。
【図４】図４は、本発明の作用効果を検証するために行った解析の結果を示す図である。
【図５】図５は、従来の耐火木質部材の一例を示す断面図である。
【発明を実施するための形態】
【００１９】
以下に、本発明に係る耐火木質部材の実施の形態を図面に基づいて詳細に説明する。なお、この実施の形態によりこの発明が限定されるものではない。
【００２０】
（実施の形態１）
まず、本発明の実施の形態１について説明する。
図１に示すように、本実施の形態１に係る耐火木質部材１００は、芯材１０と、芯材１０の外側に設けられる燃え止まり層１２と、燃え止まり層１２の外側に設けられる仕上げ材１４とを備える。
【００２１】
本実施の形態では、芯材１０の断面形状が正八角形状（五角以上の多角形状）となっており、それぞれの断面角部１６の内角θ（角度）は１３５°（鈍角）である。また、芯材１０と燃え止まり層１２を含めた断面形状も同心状の正八角形状となっており、さらに仕上げ材１４を含めた耐火木質部材１００全体の断面形状も正八角形状となっている。
【００２２】
このように、本実施の形態では、耐火木質部材１００の断面角部１６における熱的影響を低減するために、芯材１０の断面形状を八角形状にしている。なお、芯材１０の断面形状は八角形状に限るものではなく、これ以外の五角形以上の多角形状や円形状でもよいが、八角形状が製作容易であることから好ましい。ここで、五角形以上の多角形状とは、多角形状の角部の内角θが全て鈍角である五角形以上の多角形状をいい、例えば、五角形状、六角形状、七角形状、八角形状、九角形状、十角形状などのＮ角形状（ただし、Ｎは５以上の整数を表す漢数字。以下同じ。）や、正五角形状、正六角形状、正七角形状、正八角形状、正九角形状、正十角形状などの正Ｎ角形状を例示することができる。
【００２３】
本実施の形態のように芯材１０の断面形状が八角形状の場合、矩形断面の部材の１角を切断し、この部材を４つ集成することで製作可能であることから製作容易である。また、芯材１０と燃え止まり層１２を含めた断面形状、仕上げ材１４を含めた全体の断面形状についても八角形状に限るものではなく、これ以外の多角形状や円形状、楕円形状、長円形状、卵形状であっても構わない。なお、全体の断面形状が楕円形状、長円形状、卵形状の場合には、芯材１０の断面形状を、対向する１組の辺が長い多角形状になるように形成してもよい。また、断面角部１６に特別な耐火的措置や被覆材を適用して、断面全体を厚くしないようにすることが望ましい。
【００２４】
芯材１０は、荷重を支持する集成材（木質材料）からなる。芯材１０としては、例えばスギやカラマツ等からなる一般的な集成材を用いて構成することができる。芯材１０の太さ（対辺の距離）は用途に応じて適宜調整可能であるが、例えば４５０ｍｍ程度とすることができる。
【００２５】
燃え止まり層１２は、耐火性を有する被覆層であり、例えば吸熱性および断熱性を有する無機質材料や、燃えにくい不燃性の材料、あるいは、熱を受けると発泡して著しく厚みを増し、断熱性を発現する耐火シートや耐火フィルムなどの材料により構成することができる。この燃え止まり層１２は火災時において、隣接する内側の芯材１０への熱の伝達を防止し、芯材１０を炭化や燃焼させない機能を持っており、芯材１０への熱伝導を抑制する作用を発揮する。燃え止まり層１２を無機質材料で構成する場合には、例えば強化石膏ボード、石膏ボード、ケイカル板（ケイ酸カルシウム板）等のボード状の材料を用いることができる。また、その厚さは、用途に応じて適宜調整可能である。厚くすると、熱伝導を抑制する効果は向上する。これらのボードは、重ねて所定の厚さにしてもよい。ここで、強化石膏ボード、石膏ボード、ケイカル板（ケイ酸カルシウム板）等の材料は、極めて安価に入手できるとともに、高い断熱性と吸熱性とを有することから、燃え止まり層１２として好適である。また、燃え止まり層１２を不燃性の材料により構成する場合には、例えば木材にホウ酸等の薬剤を含浸させて不燃処理した不燃木材を用いることができる。燃え止まり層１２の厚さは用途に応じて適宜調整可能であるが、例えば１５ｍｍ〜４５ｍｍ程度とするのが好ましく、３０ｍｍ程度とするのがより好ましい。また、燃え止まり層１２を上記の耐火シートや耐火フィルムなどの材料で構成する場合には、その厚さは用途に応じて適宜調整可能であるが、例えば、１ｍｍ〜１２ｍｍ程度とするのが好ましく、１．５ｍｍ〜６ｍｍ程度とするのがより好ましい。
【００２６】
仕上げ材１４は、木材からなり、燃え止まり層１２の外側に木質感を付与するために設けられる。したがって、耐火木質部材１００の外表面は、この仕上げ材１４によって木質感や木目調の外観を呈している。仕上げ材１４は、木材や化粧用集成材等の木質材料であることがコスト節減のため望ましいが、クロス材等の建築用仕上げ材を用いてもよい。仕上げ材１４の厚さは、例えば３ｍｍ〜３０ｍｍ程度とすることが好ましいが、もちろん、これよりも薄くして、燃え代としてほとんど機能しないように構成しても構わない。
【００２７】
以上のように構成した耐火木質部材１００によれば、耐火性能を確保する上で弱点となる芯材１０の断面角部１６の内角θが全て鈍角であり、従来の矩形（断面角部の内角が直角）の場合に比べて緩やかであることから、二面加熱の影響を受けづらくなる。このため、本実施の形態によれば、芯材１０の断面形状が矩形の場合よりも角部の耐火性能を著しく向上することができる。したがって、部材を細くしても従来と同等以上の構造性能を確保でき、部材断面のスリム化と低コスト化を図ることができる。また、この耐火木質部材１００を室内の柱等に用いることで、室内空間の開放性が高まり、室内を有効活用することが可能となる。
【００２８】
また、仕上げ材１４の芯材１０を含めた耐火木質部材１００全体の断面形状を円形状または芯材１０の断面形状と相似した五角形以上の多角形状とすることにより、芯材１０の断面形状が矩形の場合よりも断面角部１６の耐火性能を著しく向上することができ、デザインの自由度を向上することができる。
【００２９】
（実施の形態２）
次に、本発明の実施の形態２について説明する。
図２に示すように、本実施の形態２に係る耐火木質部材２００は、芯材１０と、芯材１０の外側に設けられる第２燃え止まり層１２Ｂと、第２燃え止まり層１２Ｂの外側に設けられる第１燃え止まり層１２Ａと、第１燃え止まり層１２Ａの外側に設けられる仕上げ材１４とを備える。
【００３０】
本実施の形態においても、上記の実施の形態１と同様に芯材１０の断面形状が正八角形状となっており、断面角部１６の内角θ（角度）は１３５°（鈍角）である。また、芯材１０と第２燃え止まり層１２Ｂ、第１燃え止まり層１２Ａを含めた断面形状も同心状の正八角形状、さらに仕上げ材１４を含めた耐火木質部材２００全体の断面形状も正八角形状となっている。
【００３１】
芯材１０、仕上げ材１４は、上記の実施の形態１で説明したものと同様であるので詳細な説明は省略する。また、第１燃え止まり層１２Ａおよび第２燃え止まり層１２Ｂは、上記の実施の形態１で説明した燃え止まり層１２に相当するものである。
【００３２】
ここで、第１燃え止まり層１２Ａと第２燃え止まり層１２Ｂはそれぞれ同じ幅の平板状の層として構成されており、第１燃え止まり層１２Ａと第２燃え止まり層１２Ｂの隣り合う２辺は、断面角部１６に設けた圧縮木材１８（ビスケット）を介して接着剤で接合されている。なお、このような構成に加え、仕上げ材１４から芯材１０にタッカー釘を打ち込んだ構成としてもよい。
【００３３】
第２燃え止まり層１２Ｂは、吸熱性および断熱性を有する無機質材料を用いて構成することができる。この第２燃え止まり層１２Ｂは、火災時においては、外側の第１燃え止まり層１２Ａが火災によりその機能を失った後であっても、隣接する内側の芯材１０への熱の伝達を防止し、芯材１０を炭化や燃焼させない機能を持っており、芯材１０への熱伝導を抑制する作用を発揮する。第２燃え止まり層１２Ｂをなす無機質材料としては、強化石膏ボード、石膏ボード、ケイカル板（ケイ酸カルシウム板）等のボード状の材料を用いることができる。また、その厚さは、用途に応じて適宜調整可能である。厚くすると、熱伝導を抑制する効果は向上する。これらのボードは、重ねて所定の厚さにしてもよい。ここで、強化石膏ボード、石膏ボード、ケイカル板（ケイ酸カルシウム板）等の材料は、極めて安価に入手できるとともに、高い断熱性と吸熱性とを有することから、第２燃え止まり層１２Ｂとして好適である。
【００３４】
第１燃え止まり層１２Ａは、耐火性を有する被覆層であり、第２燃え止まり層１２Ｂの外側に設けられるものである。この第１燃え止まり層１２Ａは、火災時においては、その断熱性により隣接する内側の第２燃え止まり層１２Ｂへの燃焼の進行を遅らせる機能を持ち、第２燃え止まり層１２Ｂへの熱伝導を抑制する作用を発揮する。この第１燃え止まり層１２Ａとしては、燃えにくい不燃性の材料、例えば木材にホウ酸等の薬剤を含浸させて不燃処理した不燃木材を用いることができる。また、第１燃え止まり層１２Ａの厚さは用途に応じて適宜調整可能であるが、例えば１５ｍｍ〜４５ｍｍ程度とするのが好ましく、３０ｍｍ程度とするのがより好ましい。
【００３５】
以上のように構成した耐火木質部材２００によれば、上記の実施の形態１と同様に、耐火性能を確保する上で弱点となる芯材１０の断面角部１６の内角θが従来の矩形の場合に比べて緩やかで二面加熱の影響を受けづらくなるので、芯材１０の断面形状が矩形の場合よりも角部の耐火性能を著しく向上することができる。したがって、部材を細くしても従来と同等以上の構造性能を確保でき、部材断面のスリム化と低コスト化を図ることができる。
【００３６】
本実施の形態においては、第２燃え止まり層１２Ｂが吸熱性および断熱性を有する無機質材料により構成され、第１燃え止まり層１２Ａが不燃性の材料により構成される場合を例にとり説明したが、材料の構成を逆にしてもよい。また、第２燃え止まり層１２Ｂ、第１燃え止まり層１２Ａのいずれか一方を、熱を受けると発泡して著しく厚みを増し、断熱性を発現する耐火シートや耐火フィルムなどの材料を用いて構成してもよい。
【００３７】
また、本実施の形態においては、燃え止まり層が作用、機能の異なる第１燃え止まり層１２Ａと第２燃え止まり層１２Ｂの２層により構成される場合について説明したが、本発明はこれに限るものではなく、作用、機能の異なる３層以上の燃え止まり層の構成であってもよい。このようにしても、上記と同様の作用効果を奏することが可能である。
【００３８】
（実施の形態３）
次に、本発明の実施の形態３について説明する。
図３に示すように、本実施の形態３に係る耐火木質部材３００は、芯材１０と、芯材１０の外側に設けられる第２燃え止まり層１２Ｂと、第２燃え止まり層１２Ｂの外側に設けられる第１燃え止まり層１２Ａと、第１燃え止まり層１２Ａの外側に設けられる仕上げ材１４とを備える。
【００３９】
本実施の形態においても、上記の実施の形態１と同様に芯材１０の断面形状が正八角形状となっており、それぞれの断面角部１６の内角θ（角度）は１３５°（鈍角）である。また、芯材１０と第２燃え止まり層１２Ｂ、さらに第１燃え止まり層１２Ａを含めた断面形状も同心状の正八角形状となっている。ただし、仕上げ材１４を含めた耐火木質部材３００全体の断面形状は同心状の円形状となっており、この点が上記の実施の形態１、２とは異なっている。本実施の形態によれば、耐火木質部材３００全体の断面形状を円形状にでき、部材デザインのバリエーションが広がる。なお、耐火木質部材３００全体の断面形状は円形状に限るものではなく、楕円形状、長円形状、卵形状であってもよい。
【００４０】
また、本実施の形態においては、仕上げ材１４の表面の一部に凹部２０を設け、この凹部２０から芯材１０に向けてビス２４を打ち込み、その上から凹部２０に埋木２２を埋め込むことによってビス２４の頭部を被覆した構成を採用している。また、第２燃え止まり層１２Ｂ、第１燃え止まり層１２Ａの端部にテーパー部を設け、それぞれをこのテーパー部を介して互いに組み込むように接合している。なお、断面形状が正多角形の場合には、第２燃え止まり層１２Ｂ、第１燃え止まり層１２Ａを同一形状寸法にすると製作が簡単になるというメリットがある。
【００４１】
ここで、隣り合う第２燃え止まり層１２Ｂ、第１燃え止まり層１２Ａの間には、テーパー部の接合によって通常の場合（芯材１０の外表面に垂直な方向の目地）よりも目地深さの深い斜め状の目地（芯材１０の外表面に直交しない斜め方向の目地）が形成される。目地の遮熱性能は、一般に目地深さが深いほど目地を通じての熱貫入距離が長くなることから遮熱効果は大きくなる。このため、図３に示すような目地の構造では、目地を通じての内部の芯材１０の温度上昇を遅延する効果が高くなるというメリットがある。
【００４２】
芯材１０、第１燃え止まり層１２Ａおよび第２燃え止まり層１２Ｂ、仕上げ材１４は上記の実施の形態１、２と同様であるので、これらの詳細な説明は省略する。
【００４３】
以上のように構成した耐火木質部材３００によれば、上記の実施の形態１、２と同様に、耐火性能を確保する上で弱点となる芯材１０の断面角部１６の内角θが従来の矩形の場合に比べて緩やかで二面加熱の影響を受けづらくなるので、芯材１０の断面形状が矩形の場合よりも角部の耐火性能を著しく向上することができる。したがって、部材を細くしても従来と同等以上の構造性能を確保でき、部材断面のスリム化と低コスト化を図ることができる。
【００４４】
（変形例）
上記の実施の形態１〜３においては、芯材１０の断面形状が多角形状（正八角形状）である場合を例にとり説明したが、本発明はこれに限るものではなく、円形状であってもよい。芯材１０の断面形状が円形状ならば、耐火性能を確保する上で弱点となる芯材１０の断面角部１６自体がないので、断面形状が矩形状や多角形状の場合よりも耐火性能をさらに向上することができる。これにより、上記の実施の形態１〜３と同等以上の作用効果を奏することが可能となる。
【００４５】
この場合、上記の実施の形態１〜３と同様に、芯材１０の外側に燃え止まり層や仕上げ材をさらに備えてもよく、芯材１０を含めた耐火木質部材全体の断面形状が円形状、楕円形状、長円形状、卵形状または多角形状であるようにしてもよい。こうすることで、デザインの自由度を向上することができる。
【００４６】
（本発明の作用効果の検証）
次に、本発明の作用効果の検証について説明する。
本発明者は、有限要素法による２次元熱伝導解析を行って、本発明の作用効果について調べた。解析ケースは、芯材の断面形状が正四角形である場合（比較例に相当）、正六角形、正八角形、正十角形である場合（以上、本発明の実施例に相当）の計４ケースとした。各ケースにおいては、芯材表面の被覆層厚さを３０ｍｍとし、被覆層や芯材の水分は無いものとし、被覆層や芯材は燃焼しないものとして解析した。加熱温度はＩＳＯ８３４の標準加熱温度曲線に準じて与えた。また、メッシュ分割については、全て三角メッシュ、最少寸法を１ｍｍ（辺）程度とした。
【００４７】
本解析により得られた芯材の隅角部（断面角部）の表面温度の経時変化を図４に示す。この図に示すように、加熱時間に関わらず、本実施例に相当する正六角形、正八角形、正十角形の隅角部表面温度は、正四角形に比べて低くなることがわかる。例えば、加熱時間６０分では、正四角形の場合の隅角部表面温度は６５０℃程度であるのに対し、正六角形、正八角形、正十角形の場合はそれぞれ５８０℃、５８０℃、５６０℃程度であり、いずれも正四角形の場合と隔たりがあり、同程度に低い。これは、正六角形、正八角形、正十角形の場合は隅角部が鈍角で（それぞれ１２０°、１３５°、１４４°）、正四角形（９０°）の場合に比べて緩やかであることから、二面加熱の影響を受けづらくなり、温度上昇が抑制される結果、隅角部表面温度が正四角形よりも低くなるものと考えられる。このため、本発明によれば、芯材の断面形状が正四角形の場合よりも角部の耐火性能を著しく向上することができる。なお、本検証では正六角形、正八角形、正十角形を例にとり説明したが、これ以外の正多角形（例えば正五角形、正七角形、正九角形、正十一角形など）の場合についても同様の結果になると考えられる。
【００４８】
以上説明したように、本発明に係る耐火木質部材によれば、耐火性を有する木質部材であって、荷重を支持する木質材料からなる芯材の断面形状が、少なくとも五角以上の多角形状であり、この多角形状の全ての断面角部の角度が鈍角であるので、耐火性能を確保する上で弱点となる芯材の断面角部の角度が従来の矩形（断面角部の角度が直角）の場合に比べて緩やかであることから、二面加熱の影響を受けづらくなる。このため、本発明によれば、芯材の断面形状が矩形の場合よりも角部の耐火性能を著しく向上することができる。したがって、部材を細くしても従来と同等以上の構造性能を確保でき、部材断面のスリム化と低コスト化を図ることができる。また、この耐火木質部材を室内の柱等に用いることで、室内空間の開放性が高まり、室内を有効活用することが可能となる。
【００４９】
また、本発明に係る他の耐火木質部材によれば、芯材の外側に設けられる燃え止まり層または仕上げ材をさらに備えるので、燃え止まり層によって、火災による芯材への熱の伝達を抑制し、芯材の炭化や燃焼を防ぐことができるという効果を奏する。また、仕上げ材によって、芯材の外側に木質感を付与することができる。
【００５０】
また、本発明に係る他の耐火木質部材によれば、芯材の外側に設けられる燃え止まり層と、この燃え止まり層の外側に設けられる仕上げ材をさらに備えるので、燃え止まり層によって、火災による芯材への熱の伝達を抑制し、芯材の炭化や燃焼を防ぐとともに、仕上げ材によって、芯材の外側に木質感を付与することができる。
【００５１】
また、本発明に係る他の耐火木質部材によれば、芯材の外側に設けられる燃え止まり層または仕上げ材の芯材を含めた全体の断面形状が円形状、楕円形状、長円形状、卵形状または芯材の断面形状と相似した多角形状であるので、芯材の断面形状が矩形の場合よりも角部の耐火性能を著しく向上することができ、デザインの自由度を向上することができる。
【００５２】
また、本発明に係る他の耐火木質部材によれば、耐火性を有する木質部材であって、荷重を支持する木質材料からなる芯材の断面形状が円形状であるので、芯材の断面形状が矩形の場合よりも耐火性能を著しく向上することができる。したがって、部材を細くしても従来と同等以上の構造性能を確保でき、部材断面のスリム化と低コスト化を図ることができる。また、この耐火木質部材を室内の柱等に用いることで、室内空間の開放性が高まり、室内を有効活用することが可能となる。
【産業上の利用可能性】
【００５３】
以上のように、本発明に係る耐火木質部材は、建築構造部材として使用するのに有用であり、特に、部材断面のスリム化ひいては低コスト化を図るのに適している。
【符号の説明】
【００５４】
１０  芯材
１２  燃え止まり層
１２Ａ  第１燃え止まり層
１２Ｂ  第２燃え止まり層
１４  仕上げ材
１６  断面角部
１８  圧縮木材
２０  凹部
２２  埋木
２４  ビス
θ  内角（角度）
１００，２００，３００  耐火木質部材
【図１】
2018009387.tif 000003
【図２】
2018009387.tif 000004
【図３】
2018009387.tif 000005
【図４】
2018009387.tif 000006
【図５】
2018009387.tif 000007